(57)【特許請求の範囲】
【請求項１】
被写体像を光学的に表示する光学ファインダと、被写体像を電子的に撮像する撮像素子と、前記撮像素子によって変換された画像信号に基づいて該撮像素子が受光している被写体像を表示する電子ファインダと、前記撮像素子を遮光すると共に、撮影前に前記電子ファインダが表示する被写体像を前記撮像素子が受光できるように該撮像素子を露光状態とするフォーカルプレーンシャッタと、被写体からの光を前記光学ファインダ及び前記撮像素子のいずれか一方に導くための可動ミラーとを備え、
前記フォーカルプレーンシャッタは、露光位置と遮光位置との間で移動自在なシャッタ先幕と、露光位置と遮光位置との間で移動自在なシャッタ後幕とから成り、走行後の前記シャッタ先幕と走行前の前記シャッタ後幕とによって前記撮像素子を露光することにより、前記電子ファインダによる撮影前の被写体像の表示を許容し、
撮影前の被写体像を前記電子ファインダが表示している状態から撮影動作に移行する場合、前記フォーカルプレーンシャッタは、前記シャッタ先幕を走行前の位置に移動することにより前記撮像素子を遮光した後、前記シャッタ先幕を走行させて前記撮像素子を露光すると共に前記シャッタ後幕を走行させることにより前記撮像素子を遮光し、
前記可動ミラーは、前記電子ファインダが撮影前の被写体像を表示している状態から撮影動作を終了して再び前記電子ファインダが撮影前の被写体像を表示している状態に戻るまで、被写体からの光を前記撮像素子に導く状態を保持し、
前記電子ファインダが撮影前の被写体像を表示している状態から撮影動作が行われる場合には、前記可動ミラーを被写体からの光が前記撮像素子に導かれる状態のままで、前記シャッタ先幕を走行前の位置に移動させ、
前記電子ファインダが撮影前の被写体像を表示している状態から撮影動作を行うことなく前記電子ファインダが撮影前の被写体像を表示している状態を解除した場合には、前記可動ミラーを被写体からの光が前記撮像素子に導かれる状態から、被写体からの光が前記光学ファインダに導かれる状態としたのちに、前記シャッタ先幕を走行前の位置に移動させることを特徴とするデジタル一眼レフカメラ。
【請求項２】
被写体像を光学的に表示する光学ファインダと、被写体像を電子的に撮像する撮像素子と、前記撮像素子によって変換された画像信号に基づいて該撮像素子が受光している被写体像を表示する電子ファインダと、露光位置と遮光位置との間で移動自在なシャッタ先幕及び露光位置と遮光位置との間で移動自在なシャッタ後幕から成るフォーカルプレーンシャッタと、被写体からの光を前記光学ファインダ及び前記撮像素子のいずれか一方に導くための可動ミラーとを備えるデジタル一眼レフカメラの制御方法であって、
走行後の前記シャッタ先幕と走行前の前記シャッタ後幕とによって前記撮像素子を露光することにより、撮影前の被写体像を前記電子ファインダに表示させる表示工程と、
撮影前の被写体像を前記電子ファインダが撮影前の被写体像を表示している状態から撮影動作に移行する移行工程と、
前記シャッタ先幕を走行前の位置に移動することにより前記撮像素子を遮光した後、前記シャッタ先幕を走行させて前記撮像素子を露光すると共に前記シャッタ後幕を走行させることにより前記撮像素子を遮光する第１遮光工程と、
前記可動ミラーを、前記電子ファインダが撮影前の被写体像を表示している状態から撮影動作を終了して再び前記電子ファインダが撮影前の被写体像を表示している状態に戻るまで、被写体からの光を前記撮像素子に導く状態を保持する保持行程とを有し、
前記電子ファインダが撮影前の被写体像を表示している状態から撮影動作が行われる場合には、前記可動ミラーを被写体からの光が前記撮像素子に導かれる状態のままで、前記シャッタ先幕を走行前の位置に移動させ、
前記電子ファインダが撮影前の被写体像を表示している状態から撮影動作を行うことなく前記電子ファインダが撮影前の被写体像を表示している状態を解除した場合には、前記可動ミラーを被写体からの光が前記撮像素子に導かれる状態から、被写体からの光が前記光学ファインダに導かれる状態としたのちに、前記シャッタ先幕を走行前の位置に移動させることを特徴とするデジタル一眼レフカメラの制御方法。
【請求項３】
被写体像を光学的に表示する光学ファインダと、被写体像を電子的に撮像する撮像素子と、前記撮像素子によって変換された画像信号に基づいて該撮像素子が受光している被写体像を表示する電子ファインダと、露光位置と遮光位置との間で移動自在なシャッタ先幕及び露光位置と遮光位置との間で移動自在なシャッタ後幕から成るフォーカルプレーンシャッタと、被写体からの光を前記光学ファインダ及び前記撮像素子のいずれか一方に導くための可動ミラーとを備えるデジタル一眼レフカメラの制御方法を実行するプログラムを格納する、コンピュータで読取可能な記憶媒体において、前記制御方法は、
走行後の前記シャッタ先幕と走行前の前記シャッタ後幕とによって前記撮像素子を露光することにより、撮影前の被写体像を前記電子ファインダに表示させる表示工程と、
撮影前の被写体像を前記電子ファインダが表示している状態から撮影動作に移行する移行工程と、
前記シャッタ先幕を走行前の位置に移動することにより前記撮像素子を遮光した後、前記シャッタ先幕を走行させて前記撮像素子を露光すると共に前記シャッタ後幕を走行させることにより前記撮像素子を遮光する遮光工程と、
前記可動ミラーを、前記電子ファインダが撮影前の被写体像を表示している状態から撮影動作を終了して再び前記電子ファインダが撮影前の被写体像を表示している状態に戻るまで、被写体からの光を前記撮像素子に導く状態を保持する保持行程とを有し、
前記電子ファインダが撮影前の被写体像を表示している状態から撮影動作が行われる場合には、前記可動ミラーを被写体からの光が前記撮像素子に導かれる状態のままで、前記シャッタ先幕を走行前の位置に移動させ、
前記電子ファインダが撮影前の被写体像を表示している状態から撮影動作を行うことなく前記電子ファインダが撮影前の被写体像を表示している状態を解除した場合には、前記可動ミラーを被写体からの光が前記撮像素子に導かれる状態から、被写体からの光が前記光学ファインダに導かれる状態としたのちに、前記シャッタ先幕を走行前の位置に移動させることを特徴とする記憶媒体。
【発明の詳細な説明】
【０００１】
【発明の属する技術分野】
本発明は、デジタルスチルカメラ及びその制御方法、並びに記憶媒体に関し、特に、フォーカルプレーンシャッタを有するデジタルスチルカメラ及びその制御方法、並びに記憶媒体に関する。
【０００２】
【従来の技術】
従来の１眼レフデジタルスチルカメラは、ミラーやペンタプリズム等を介してユーザが被写体像を視認した上で撮影を行うための光学ファインダ表示を行うことができる。しかし、該デジタルスチルカメラは、被写体をＣＣＤ等の撮像素子に撮像するシャッタ秒時にのみフォーカルプレーンシャッタを開口するので、連続的に液晶モニタに被写体画像を表示する電子ファインダ表示を行うことができない。
【０００３】
そこで、フォーカルプレーンシャッタを介して常時電子ファインダ表示を行うことができるデジタルスチルカメラが提案されている（例えば、特開平１１−３２６９９２号公報）。このデジタルスチルカメラは、撮影時にのみ遮光位置に移動する先羽根とこれを追う後羽根を撮像素子の前方に配置することにより、常時シャッタを開口させる構造を有する。先羽根及び後羽根は、シャッタ秒時に従って同方向に移動して、被写体からの光を遮光する。該デジタルスチルカメラは、先羽根及び後羽根により常時シャッタ開口状態から撮影時にのみ遮光を行うので、常時電子ファインダ表示を行うことができるが、光学ファインダ表示を行うことはできない。
【０００４】
また、電子ファインダ表示に加えて光学ファインダ表示を同時に行うことができるデジタルスチルカメラとしては、例えば、特開平０６−１７８１９５号公報に記載されたものが提案されている。このデジタルスチルカメラは、シャッタ内蔵のレンズシャッタと、被写体からの光を電子ファインダと光学ファインダとに分岐させるビームスプリッタとを有している。該デジタルスチルカメラによれば、レンズシャッタにより電子ファインダ表示を常時行うことができるのに加えて、ビームスプリッタにより光学ファインダ表示も同時に行うことができる。
【０００５】
【発明が解決しようとする課題】
しかしながら、常時電子ファインダ表示を行うことができるデジタルスチルカメラは、被写体を撮影する時に先羽根及び後羽根が同方向に移動するので、先羽根及び後羽根の移動スペース確保のためデジタルスチルカメラ本体が嵩張ってしまう。また、該デジタルスチルカメラは電子ファインダ表示を行うことはできるが、光学ファインダ表示を行うことができない。
【０００６】
また、電子ファインダ表示に加えて光学ファインダ表示を同時に行うことができるデジタルスチルカメラのように、電子ファインダ表示と光学ファインダ表示は同時に行う必要性が低いのに加えて、このデジタルスチルカメラは、ビームスプリッタやレンズシャッタ等を有するので構造が複雑となる。
【０００７】
本発明の目的は、従来のデジタルスチルカメラの構成をほとんど変更することなく光学ファインダ表示及び電子ファインダ表示を選択的に行うことができるデジタルスチルカメラ及びその制御方法、並びに記憶媒体を提供することにある。
【０００８】
【課題を解決するための手段】
上述の目的を達成するために、請求項１記載のデジタル一眼レフカメラは、被写体像を光学的に表示する光学ファインダと、被写体像を電子的に撮像する撮像素子と、前記撮像素子によって変換された画像信号に基づいて該撮像素子が受光している被写体像を表示する電子ファインダと、前記撮像素子を遮光すると共に、撮影前に前記電子ファインダが表示する被写体像を前記撮像素子が受光できるように該撮像素子を露光状態とするフォーカルプレーンシャッタと、被写体からの光を前記光学ファインダ及び前記撮像素子のいずれか一方に導くための可動ミラーとを備え、前記フォーカルプレーンシャッタは、露光位置と遮光位置との間で移動自在なシャッタ先幕と、露光位置と遮光位置との間で移動自在なシャッタ後幕とから成り、走行後の前記シャッタ先幕と走行前の前記シャッタ後幕とによって前記撮像素子を露光することにより、前記電子ファインダによる撮影前の被写体像の表示を許容し、撮影前の被写体像を前記電子ファインダが表示している状態から撮影動作に移行する場合、前記フォーカルプレーンシャッタは、前記シャッタ先幕を走行前の位置に移動することにより前記撮像素子を遮光した後、前記シャッタ先幕を走行させて前記撮像素子を露光すると共に前記シャッタ後幕を走行させることにより前記撮像素子を遮光し、前記可動ミラーは、前記電子ファインダが撮影前の被写体像を表示している状態から撮影動作を終了して再び前記電子ファインダが撮影前の被写体像を表示している状態に戻るまで、被写体からの光を前記撮像素子に導く状態を保持し、前記電子ファインダが撮影前の被写体像を表示している状態から撮影動作が行われる場合には、前記可動ミラーを被写体からの光が前記撮像素子に導かれる状態のままで、前記シャッタ先幕を走行前の位置に移動させ、前記電子ファインダが撮影前の被写体像を表示している状態から撮影動作を行うことなく前記電子ファインダが撮影前の被写体像を表示している状態を解除した場合には、前記可動ミラーを被写体からの光が前記撮像素子に導かれる状態から、被写体からの光が前記光学ファインダに導かれる状態としたのちに、前記シャッタ先幕を走行前の位置に移動させることを特徴とする。
【００１３】
上述の目的を達成するために、請求項２記載のデジタル一眼レフカメラの制御方法は、被写体像を光学的に表示する光学ファインダと、被写体像を電子的に撮像する撮像素子と、前記撮像素子によって変換された画像信号に基づいて該撮像素子が受光している被写体像を表示する電子ファインダと、露光位置と遮光位置との間で移動自在なシャッタ先幕及び露光位置と遮光位置との間で移動自在なシャッタ後幕から成るフォーカルプレーンシャッタと、被写体からの光を前記光学ファインダ及び前記撮像素子のいずれか一方に導くための可動ミラーとを備えるデジタル一眼レフカメラの制御方法であって、走行後の前記シャッタ先幕と走行前の前記シャッタ後幕とによって前記撮像素子を露光することにより、撮影前の被写体像を前記電子ファインダに表示させる表示工程と、撮影前の被写体像を前記電子ファインダが撮影前の被写体像を表示している状態から撮影動作に移行する移行工程と、前記シャッタ先幕を走行前の位置に移動することにより前記撮像素子を遮光した後、前記シャッタ先幕を走行させて前記撮像素子を露光すると共に前記シャッタ後幕を走行させることにより前記撮像素子を遮光する第１遮光工程と、前記可動ミラーを、前記電子ファインダが撮影前の被写体像を表示している状態から撮影動作を終了して再び前記電子ファインダが撮影前の被写体像を表示している状態に戻るまで、被写体からの光を前記撮像素子に導く状態を保持する保持行程とを有し、前記電子ファインダが撮影前の被写体像を表示している状態から撮影動作が行われる場合には、前記可動ミラーを被写体からの光が前記撮像素子に導かれる状態のままで、前記シャッタ先幕を走行前の位置に移動させ、前記電子ファインダが撮影前の被写体像を表示している状態から撮影動作を行うことなく前記電子ファインダが撮影前の被写体像を表示している状態を解除した場合には、前記可動ミラーを被写体からの光が前記撮像素子に導かれる状態から、被写体からの光が前記光学ファインダに導かれる状態としたのちに、前記シャッタ先幕を走行前の位置に移動させることを特徴とする。
【００１８】
上述の目的を達成するために、請求項３記載の記憶媒体は、被写体像を光学的に表示する光学ファインダと、被写体像を電子的に撮像する撮像素子と、前記撮像素子によって変換された画像信号に基づいて該撮像素子が受光している被写体像を表示する電子ファインダと、露光位置と遮光位置との間で移動自在なシャッタ先幕及び露光位置と遮光位置との間で移動自在なシャッタ後幕から成るフォーカルプレーンシャッタと、被写体からの光を前記光学ファインダ及び前記撮像素子のいずれか一方に導くための可動ミラーとを備えるデジタル一眼レフカメラの制御方法を実行するプログラムを格納する、コンピュータで読取可能な記憶媒体において、前記制御方法は、走行後の前記シャッタ先幕と走行前の前記シャッタ後幕とによって前記撮像素子を露光することにより、撮影前の被写体像を前記電子ファインダに表示させる表示工程と、撮影前の被写体像を前記電子ファインダが表示している状態から撮影動作に移行する移行工程と、前記シャッタ先幕を走行前の位置に移動することにより前記撮像素子を遮光した後、前記シャッタ先幕を走行させて前記撮像素子を露光すると共に前記シャッタ後幕を走行させることにより前記撮像素子を遮光する遮光工程と、前記可動ミラーを、前記電子ファインダが撮影前の被写体像を表示している状態から撮影動作を終了して再び前記電子ファインダが撮影前の被写体像を表示している状態に戻るまで、被写体からの光を前記撮像素子に導く状態を保持する保持行程とを有し、前記電子ファインダが撮影前の被写体像を表示している状態から撮影動作が行われる場合には、前記可動ミラーを被写体からの光が前記撮像素子に導かれる状態のままで、前記シャッタ先幕を走行前の位置に移動させ、前記電子ファインダが撮影前の被写体像を表示している状態から撮影動作を行うことなく前記電子ファインダが撮影前の被写体像を表示している状態を解除した場合には、前記可動ミラーを被写体からの光が前記撮像素子に導かれる状態から、被写体からの光が前記光学ファインダに導かれる状態としたのちに、前記シャッタ先幕を走行前の位置に移動させることを特徴とする。
【００１９】
【発明の実施の形態】
以下、本発明の実施の形態に係るデジタルスチルカメラを図面を参照して説明する。
【００２０】
図１は、本発明の実施の形態に係るデジタルスチルカメラの概略構成を示す模式図である。
【００２１】
図１において、本発明の実施の形態に係るデジタルスチルカメラは、カメラ本体１を有する。カメラ本体１の前面部には、絞り２が介装された一対のレンズ３が配されている。カメラ本体１の上部接眼部には、ペンタプリズム４及び接眼レンズ５（光学ファインダ）が配されている。ペンタプリズム４の下面にはピント板６が配され、その下方には、レンズ３を通過した被写体からの光をペンタプリズム４に反射するミラー７（偏向手段）が配されている。このミラー７は跳上げ自在であり、跳上げ時は被写体からの光を通過させることができる。
【００２２】
カメラ本体１の背面部には、後述する図２のシャッタユニット８、ローパスフィルタ９、及びＣＣＤ等の撮像素子１０が配されており、シャッタユニット８は、シャッタ先幕１１及びシャッタ後幕１２から成るフォーカルプレーンシャッタを内蔵する。また、カメラ本体１の背面には液晶モニタ１３が配されている。
【００２３】
図１において、被写体からの光は、まず、カメラ本体１の前面部から入射し、絞り２が介装された一対のレンズ３を通過して合焦し、ミラー７で反射し、被写体像がピント板６に結像した後、ペンタプリズム４に入射する。この入射した光は、接眼レンズ５によりユーザに被写体像として視認される。このとき、一部の光は散乱して測光素子１４に入射する。測光素子１４は、この散乱光の光度値を電圧として検知し、その電圧を出力し、デジタル信号に変換させる。
【００２４】
以下、図１〜図３を用いて光学ファインダ表示モードを説明する。
【００２５】
まず、図１に示すように、シャッタユニット８のシャッタ先幕１１が遮光位置にあると共に、シャッタ後幕１２は露光位置にあり、前述のように光学ファインダ表示が行われる。
【００２６】
次いで、図２に示すように、シャッタ先幕１１が遮光位置から露光位置へ移動する露光走行を行って被写体からの光を通過させ、撮像素子１０で撮像を行う。シャッタ秒時の後、シャッタ後幕１２が露光位置から遮光位置へ移動する遮光走行を行って撮影を完了する（図３）。
【００２７】
以下、図４を用いて電子ファインダ表示モードを説明する。
【００２８】
まず、図４では、ミラー７は跳上がった位置にあると共に、シャッタ先幕１１及びシャッタ後幕１２は共に露光位置にあり、常時撮像を行う電子ファインダ表示が行われている。撮影時は、まず、シャッタ先幕１１が露光位置から遮光位置へ移動する遮光チャージを行い、再びシャッタ先幕１１が露光走行し、次いで、シャッタ秒時の後、シャッタ後幕１２が遮光走行して撮影を完了する。そして、常時撮像を行うべくシャッタ後幕１２のみが遮光位置から露光位置に移動する露光チャージを行う。
【００２９】
上記のようなシャッタ先幕１１及びシャッタ後幕１２の走行／チャージ動作は、以下に述べるシャッタユニット８に備えられた作動機構（作動手段）によって行われる。
【００３０】
図５は、図１におけるシャッタユニット８の概略構成を示す説明図である。
【００３１】
図５において、シャッタユニット８は、シャッタ先幕１１を露光位置又は遮光位置に移動させる先幕チャージレバー１５と、先幕チャージレバー１５を先幕チャージ板１７を介して作動させる先幕チャージカム１９と、シャッタ後幕１２を露光位置又は遮光位置に移動させる後幕チャージレバー１６と、後幕チャージレバー１６を後幕チャージ板１８を介して作動させる後幕チャージカム２０とを備える。
【００３２】
先幕チャージカム１９と後幕チャージカム２０は同一軸上に配されているが、互いに独立して作動する。図５は、シャッタ後幕１２のみが露光チャージしている、即ち露光位置にある状態を示している。
【００３３】
図６は、図１のデジタルスチルカメラの電気回路のブロック図である。
【００３４】
図６において、図１のデジタルスチルカメラは、ＣＰＵ２１（作動手段）と、絞り２を駆動する絞り駆動回路２２と、撮像素子１０の出力の電圧をデジタル信号に変換するＡ／Ｄ変換器２３と、コンパクトフラッシュ（Ｒ）等のＲＯＭ２４（記憶媒体）と、測光素子１４に用いる測光用Ａ／Ｄ変換器２５と、不図示のレリーズ釦の第１ストロークでＯＮであるか否かを判別するスイッチ２６と、レリーズ釦の第２ストロークでＯＮであるか否かを判別するスイッチ２７と、光学ファインダ表示モード及び電子ファインダ表示モードのどちらが選択されたかを判別するスイッチ２８と、ミラー７が跳上がっているか否かを判別するスイッチ２９と、ミラー７が下がっているか否かを判別するスイッチ３０と、シャッタ後幕１２が露光チャージされた、即ち露光位置にあるか否かを判別するスイッチ３１と、シャッタ先幕１１が遮光チャージされた、即ち遮光位置にあるか否かを判別するスイッチ３２と、ミラー７を跳上げるか下げるかのいずれか一方の状態にするモータ３３及び当該モータ３３を駆動するトランジスタ３４と、シャッタ先幕１１を遮光チャージ且つシャッタ後幕１２を露光チャージするためのモータ３５と及び当該モータ３５を駆動するトランジスタ３６と、シャッタ先幕１１を遮光チャージさせるためのマグネット３７と、マグネット３７を駆動するトランジスタ３８と、シャッタ後幕１２を露光チャージさせるためのマグネット３９と、マグネット３９を駆動するトランジスタ４０とから主として構成される。これらの構成要素は、ＣＰＵ２１に接続されている。Ａ／Ｄ変換器２３には撮像素子１０が接続されている。
【００３５】
図７及び図８は、図１のデジタルスチルカメラによって実行される撮影処理のフローチャートである。
【００３６】
図７において、デジタルスチルカメラの電源がＯＮになると（ステップＳ１でＹＥＳ）、光学ファインダ表示モードか否かを判別し（ステップＳ２）、光学ファインダ表示モードであるときは、ステップＳ３〜Ｓ１３の処理により光学ファインダ表示モードの処理を実行する。
【００３７】
光学ファインダ表示モードの処理では、まず、測光素子１４で測光し（ステップＳ３）、測光した光度値の出力の電圧をデジタル信号に変換し、ＣＰＵ２１でシャッタ秒時と絞り２の絞り値とを計算する（ステップＳ４）（図１）。
【００３８】
次いで、撮影を開始するか否かを判別し（ステップＳ５）、開始するときは、ミラー７を跳上げ（ステップＳ７）、続くステップＳ８では、シャッタ先幕１１が露光走行して、撮像素子１０で撮像を行い（ステップＳ９）（図２）、シャッタ秒時の後、シャッタ後幕１２が遮光走行して、被写体からの光を遮光する（ステップＳ１０）（図３）。シャッタ後幕１２が遮光走行することによりスミアニングを防止することができる。
【００３９】
ミラー７を下げて（ステップＳ１１）、１回の撮影処理を終了する。次いで絞り２を解放して、ステップＳ９で撮像した画像を読出し、処理し、記録し、撮影した静止画を液晶モニタ１３に表示する（ステップＳ１２）。
【００４０】
更に、シャッタ先幕１１を遮光チャージして、シャッタ後幕１２を露光チャージした後（ステップＳ１３）、ステップＳ３の光学ファインダ表示モード選択後の処理に戻る。
【００４１】
ステップＳ５の判別の結果、撮影を開始しないときは、光学ファインダ表示を続行するか否かを判別し（ステップＳ６）、続行する場合は、ステップＳ３〜Ｓ５の処理を繰り返す。
【００４２】
また、ステップＳ１３の処理において、シャッタ後幕１２を露光チャージ後、シャッタ先幕１１を遮光チャージすると、撮像素子１０で撮像が行われ、被写体画像を蓄積してしまう。しかし、この蓄積された画像は露光してしまったフィルムとは異なり、次なる撮像前に蓄積した画像を撮像素子１０から消去するリセットを行うので問題ない。
【００４３】
ステップＳ６の判別の結果、光学ファインダ表示を続行しないときは、光学ファインダ表示モードを解除したと判断して、ステップＳ２の処理に戻り、それ以降の処理を繰り返す。
【００４４】
ステップＳ２の判別の結果、光学ファインダ表示モードでないときは、即ち電子ファインダ表示モードであるときは、図８におけるステップＳ１４〜Ｓ２９の処理により電子ファインダ表示モードの処理を実行する。
【００４５】
電子ファインダ表示モードの処理では、図８において、まず、ミラー７を跳上げ（ステップＳ１４）、シャッタ先幕１１を露光走行後、撮像素子１０で静止画の撮像を行い、シャッタ後幕１２を遮光走行する（ステップＳ１５）（図５）。
ステップＳ１５で撮像した画像を読出し、処理し、記録し、撮像した静止画を液晶モニタ１３に一定時間表示する（ステップＳ１６）。これにより、ユーザは構図等の確認を行うことができる。この時、この静止画から測光し（ステップＳ１７）、ＣＰＵ２１でシャッタ秒時と絞り２の絞り値とを計算する（ステップＳ１８）。
【００４６】
次いで、シャッタ後幕１２をのみを露光チャージし（ステップＳ１９）、撮像素子１０で撮像を常時行い、動画を表示する（ステップＳ２０）（図４）。
【００４７】
続くステップＳ２１では、撮影を開始するか否かを判別し、開始するときは、シャッタ先幕１１を遮光チャージし（ステップＳ２２）、シャッタ先幕１１を露光走行して（ステップＳ２３）、撮像素子１０で静止画の撮像を行い（ステップＳ２４）、シャッタ秒時の後、シャッタ後幕１２を遮光走行する（ステップＳ２５）。ステップＳ２４で撮像した画像を読出し、処理し、記録し、撮影した静止画を液晶モニタ１３に一定時間表示し（ステップＳ２６）、ステップＳ１９以降の処理に戻る。
【００４８】
ステップＳ２１の判別の結果、撮影を開始しないときは、電子ファインダ表示を続行するか否かを判別し（ステップＳ２７）、続行するときは、ステップＳ２０〜Ｓ２１の処理を繰り返す。
【００４９】
ステップＳ２７の判別の結果、電子ファインダ表示を続行しないときは、電子ファインダ表示による撮影モードを解除したと判断して、ミラー７を下げた後（ステップＳ２８）、シャッタ先幕１１を遮光チャージし（ステップＳ２９）、図７のステップＳ２の処理に戻り、それ以降の処理を繰り返す。
【００５０】
図７及び図８の処理によれば、光学ファインダ表示モードが選択されたときは（ステップＳ２でＹＥＳ）、被写体からの光が測光素子１４で測光されるように（ステップＳ３）ミラー７を下げたまま、デジタルスチルカメラの撮影時に（ステップＳ７〜Ｓ１１）、被写体からの光が撮像素子１０に入射するようにミラー７を跳上げ、次いで被写体の撮像を行うべく（ステップＳ９）順次シャッタ先幕１１を露光走行させ且つシャッタ後幕１２を遮光走行させ、電子ファインダ表示モードが選択されたときは（ステップＳ２でＮＯ）、被写体からの光が撮像素子１０に入射するようにミラー７を跳上げた後（ステップＳ１４）、シャッタ後幕１２のみを露光チャージさせ、デジタルスチルカメラの撮影時に（ステップＳ２２〜Ｓ２５）、被写体の撮像を行うべく（ステップＳ２４）シャッタ先幕１１を遮光チャージさせた後、順次シャッタ先幕１１を露光走行させ且つシャッタ後幕１２を遮光走行させるので、従来のデジタルスチルカメラの構成をほとんど変更することなく、光学ファインダ表示及び電子ファインダ表示を選択的に行うことができる。
【００５１】
また、本発明は、前述した実施の形態を実現するソフトウェアのプログラムモジュールを記憶したＲＯＭ２４を、システム又は装置にプログラムを供給することによって達成される場合にも適用できることはいうまでもない。この場合、ＲＯＭ２４から読み出されたプログラムモジュール自体が本発明の新規な機能を実現することになり、そのプログラムを記憶した記憶媒体は本発明を構成することになる。
【００５２】
上記実施の形態では、プログラムモジュールはデジタルスチルカメラ本体内蔵のＲＯＭ２４に格納されているが、プログラムモジュールを供給するＲＯＭ２４としては、フロッピー（登録商標）ディスク、ハードディスク、光ディスク、光磁気ディスク、ＣＤ−ＲＯＭ、ＭＯ、ＣＤ−Ｒ、ＤＶＤ、磁気テープ、不揮発性のメモリカード、コンパクトフラッシュ（登録商標）等の様々なものが考えられるが、特定のものに限定する必要はなく、上記プログラムを記憶できるものであればよい。
【００５３】
【発明の効果】
以上詳細に説明したように、請求項１記載のデジタルスチルカメラ、請求項２記載の制御方法、及び請求項３記載の記憶媒体によれば、走行後のシャッタ先幕と走行前のシャッタ後幕とによって撮像素子を露光することにより、撮影前の被写体像を電子ファインダに表示させ、撮影前の被写体像を電子ファインダが表示している状態から撮影動作に移行する場合に、シャッタ先幕を走行前の位置に移動することにより撮像素子を遮光した後、シャッタ先幕を走行させて撮像素子を露光すると共にシャッタ後幕を走行させることにより撮像素子を遮光し、さらに、可動ミラーを、電子ファインダが表示している状態から撮影動作を終了して再び電子ファインダが表示している状態に戻るまで、被写体からの光を撮像素子に導く状態を保持し、電子ファインダが撮影前の被写体像を表示している状態から撮影動作が行われる場合には、可動ミラーを被写体からの光が撮像素子に導かれる状態のままで、シャッタ先幕を走行前の位置に移動させ、電子ファインダが撮影前の被写体像を表示している状態から撮影動作を行うことなく電子ファインダが表示している状態を解除した場合には、可動ミラーを被写体からの光が前記撮像素子に導かれる状態から、被写体からの光が前記光学ファインダに導かれる状態としたのちに、シャッタ先幕を走行前の位置に移動させるので、従来のデジタルスチルカメラの構成をほとんど変更することなく光学ファインダ表示及び電子ファインダ表示を選択的に行うことができる。
【図面の簡単な説明】
【図１】本発明の実施の形態に係るデジタルスチルカメラの概略構成を示す説明図であり、光学ファインダ表示の状態を示す。
【図２】図１のデジタルスチルカメラの概略構成を示す説明図であり、光学ファインダ表示モードにおいて撮像中の場合を示す。
【図３】図１のデジタルスチルカメラの概略構成を示す説明図であり、光学ファインダ表示モードにおいて撮像終了時の場合を示す。
【図４】図１のデジタルスチルカメラの概略構成を示す説明図であり、電子ファインダモード表示モードにおける撮像中の場合を示す。
【図５】図１におけるシャッタユニット８の概略構成を示す説明図である。
【図６】図１のデジタルスチルカメラの電気回路のブロック図である。
【図７】図１のデジタルスチルカメラによって実行される光学ファインダ表示による撮影処理のフローチャートである。
【図８】図１のデジタルスチルカメラによって実行される電子ファインダ表示による撮影処理のフローチャートである。
【符号の説明】
１  カメラ本体
５  接眼レンズ
７  ミラー
８  シャッタユニット
１０  撮像素子
１１  シャッタ先幕
１２  シャッタ後幕
１３  液晶モニタ
１５  先幕チャージレバー
１６  後幕チャージレバー
１９  先幕チャージカム
２０  後幕チャージカム
２１  ＣＰＵ
２４  ＲＯＭ
【図１】
0004646442.tif 000002
【図２】
0004646442.tif 000003
【図３】
0004646442.tif 000004
【図４】
0004646442.tif 000005
【図５】
0004646442.tif 000006
【図６】
0004646442.tif 000007
【図７】
0004646442.tif 000008
【図８】
0004646442.tif 000009